(57)【要約】      （修正有）【課題】好ましい収納効果及び展開長さを有するフットレストを備えた安楽椅子を提供する。【解決手段】ベース１と座部２と背もたれ３とフットレストユニット４とを備える安楽椅子である。ベース１が床面に載置され、横棒１１を備え、横棒１１の両側に各々肘掛けを固設し、また横棒１１の前向き方向に前側支持部１４が設けられている。座部２は、ベース１の上方に設けられており、フロントロッド２１と２つのサイドロッド２２を有し、またベース１に対応して前後方向に移動可能である。背もたれ３は、座部２の後方と接合する。フットレストユニット４は、収納及び展開可能であり、少なくとも１つの第１連結棒４１と少なくとも１つの第２連結棒４２と第１枢着枠４３と第３連結棒４４と第２枢着枠４５と少なくとも１つの第４連結棒４６と少なくとも１つの接合枠４７とを有する。【選択図】図１
0003201565.tif 000002
【実用新案登録請求の範囲】
【請求項１】
床面に載置されており、横棒を有し、前記横棒の両側に各々肘掛けが固設されており、前記横棒の前側に前側支持部が設けられているベースと、
前記ベースの上方に設けられており、フロントロッドと２つのサイドロッドとを有し、前記ベースに対応し、かつ前後移動可能である座部と、
前記座部の後方と接合している背もたれと、
収納及び展開可能であり、少なくとも１つの第１連結棒と少なくとも１つの第２連結棒と第１枢着枠と第３連結棒と第２枢着枠と少なくとも１つの第４連結棒と少なくとも１つの接合枠とを有し、前記第１連結棒および前記第２連結棒が前記前側支持部の前方に回転可能に接続されており、前記第１枢着枠が収納位置の前側に対応しかつ前記第１連結棒、前記第２連結棒、及び前記座部の前方に回転可能に接続されており、前記第３連結棒が収納位置の前側に対応しかつ前記座部の前方に回転可能に接続されており、前記第２枢着枠が収納位置の後側に対応しかつ前記第１枢着枠の後側及び前記第３連結棒の後側に回転可能に接続されており、前記第４連結棒が収納位置の後側に対応しかつ前記第１枢着枠の後側に回転可能に接続されており、前記接合枠が収納位置の前側に対応しかつ前記第２枢着枠の前側に回転可能に接続されており、後側が前記第４連結棒の前側に回転可能に接続されているフットレストユニットと、を備え、
前記座部が前方に移動した時、前記第１連結棒および前記第２連結棒は、前記フットレストユニットが前記ベースに向かって収納する曲がり部分となり、
前記座部が後方に移動した時、前記第１連結棒および前記第２連結棒が連動かつ回転し、前記フットレストユニットが前記座部の前方に向かって展開することを特徴とする安楽椅子。
【請求項２】
前記ベースの前記前側支持部は、左側の前側支柱および右側の前側支柱を有し、
前記第１連結棒および前記第２連結棒は、それぞれ２つであり、前記前側支柱の前端に回転可能に接続されており、
前記第１枢着枠は、２つの前記前側支柱の間隔より小さい幅を有し、
前記第２枢着枠は、前記第１枢着枠の幅より小さい幅を有することを特徴とする請求項１に記載の安楽椅子。
【請求項３】
前記ベースの前記前側支柱は、前記座部の長さの半分より長い長さを有し、長さが前記第１枢着枠の長さに対応していることを特徴とする請求項２に記載の安楽椅子。
【請求項４】
２つの枢着ピンを更に備え、
前記ベースの前記横棒は、両側に枢着座が各々設けられており、前記枢着座に前記枢着ピンの底端が回転可能に接続されており、前記枢着座の後側に前記枢着ピンの後方向き揺動角度を制限する当接部が設けられており、前記枢着ピンの頂部が前記座部の後側に回転可能に接続されていることを特徴とする請求項１に記載のフットレストを備えた安楽椅子。
【請求項５】
少なくとも１つの弾性部材を更に備え、
前記弾性部材は、前記座部及び前記ベースと接合し、前記座部を前方に移動させる力を提供可能であることを特徴とする請求項４に記載の安楽椅子。
【請求項６】
前記背もたれは、前記座部に回転可能に接続されており、前記座部との間に伸縮棒が設けられており、後傾角度が制御可能であることを特徴とする請求項１に記載の安楽椅子。
【請求項７】
前記ベースの前記前側支持部は、左側の前側支柱および右側の前側支柱を有し、２つの前記前側支柱が前記座部の長さの半分を上回る長さを有し、前記前側支柱の前端の上部および下部に第１枢着部および第２枢着部が各々設けられており、
前記座部は、前記フロントロッドに２つの第４枢着部が設けられており、前記フロントロッドに第７枢着部が設けられており、
前記フットレストユニットにおいて、
前記第１連結棒は、２つであり、且つ前記ベースの２つの前記前側支柱の前端に各々回転可能に設けられており、両端が第１１枢着部および第１２枢着部を有し、前記第１１枢着部が前記ベースの前記第２枢着部に回転可能に接続されており、前記第１２枢着部が前記座部の前記第４枢着部に回転可能に接続されており、
前記第２連結棒は、２つであり、且つ前記ベースの２つの前記前側支柱の前端に各々回転可能に設けられており、両端が第１３枢着部および第１４枢着部を有し、前記第１３枢着部が前記ベースの前記第１枢着部に回転可能に接続されており、
前記第１枢着枠は、２つの前記前側支柱の間隔より小さい幅を有し、且つ２つの並列する第１サイドロッドを有し、２つの前記第１サイドロッドの間に第１水平ロッドが連結されており、長さが前記前側支柱の長さに対応しており、２つの前記第１サイドロッドが対称となると共に収納位置に対応し前側から後側へ順次に第１５枢着部、第１６枢着部、第１７枢着部、および第１８枢着部が設けられており、前側の前記第１５枢着部が前記座部の前記第４枢着部及び前記第１連結棒の前記第１２枢着部に回転可能に接続されており、前側の前記第１６枢着部が前記第２連結棒の前記第１４枢着部に回転可能に接続されており、
前記第３連結棒は、収納位置に対応する前後側に第１９枢着部および第２０枢着部を有し、前記第１９枢着部が前記座部の前記第７枢着部に回転可能に接続されており、
前記第２枢着枠は、平行である２つの第２サイドロッドを有し、２つの前記第２サイドロッドの端部が第２水平ロッドにより連結されており、前記第１枢着枠の２つの前記第１サイドロッドの間隔より小さい幅を有し、２つの前記第２サイドロッドの収納位置に対応する前後側に第２１枢着部および第２２枢着部が各々設けられており、前記第２水平ロッドに第２３枢着部が設けられており、後側の前記第２２枢着部が前記第１枢着枠の後側の前記第１７枢着部に回転可能に接続されており、後側の前記第２３枢着部が前記第３連結棒の後側の前記第２０枢着部に回転可能に接続されており、
前記第４連結棒は、２つであり、収納位置に対応する後前側に第２４枢着部および第２５枢着部を有し、後側の前記第２４枢着部が前記第１枢着枠の後側の前記第１８枢着部に回転可能に接続されており、
前記接合枠は、２つであり且つ対向設置されており、収納位置に対応する前後側に第２６枢着部および第２７枢着部を有し、前側の前記第２６枢着部が前記第２枢着枠の前側の前記第２１枢着部に回転可能に接続されており、後側の前記第２７枢着部が前記第４連結棒の前側の前記第２５枢着部に回転可能に接続されていることを特徴とする請求項１に記載の安楽椅子。
【請求項８】
２つの枢着ピンを更に備え、
前記横棒は、両側に側板および枢着座が各々設けられており、前記側板に肘掛けが固設されており、前記枢着座が収容溝および第３枢着部を有し、
前記枢着ピンは、底端が前記枢着座の前記第３枢着部に回転可能に接続されており、
前記枢着座は、後側に前記枢着ピンの後方向き揺動角度を制限する当接部が設けられており、
前記座部は、２つの前記サイドロッドに２つの第５枢着部が設けられており、前記第５枢着部が前記枢着ピンの頂部に回転可能に接続されており、
前記座部が前方に移動した時、前記前側支持部の前記前側支柱に当接し、前記枢着ピンが床面に対し直交である状態を呈し、
前記座部が後方に移動した時、前記枢着ピンが前記当接部と当接することを特徴とする請求項７に記載の安楽椅子。
【請求項９】
少なくとも１つの弾性部材を更に備え、
前記弾性部材は、前記座部及び前記ベースと接合し、前記座部を前方に移動させる力を提供可能であることを特徴とする請求項８に記載の安楽椅子。
【請求項１０】
前記弾性部材は、２つの圧縮ばねから構成されており、
前記座部は、２つの前記サイドロッドの前記第５枢着部に対応する前方の位置に接合ロッドが設けられており、
前記弾性部材の両端は、前記座部の前記接合ロッド及び前記ベースの前記側板と各々接合可能であることを特徴とする請求項９に記載の安楽椅子。
【考案の詳細な説明】
【技術分野】
【０００１】
本考案は、安楽椅子に関し、詳しくは、フットレストを備えた安楽椅子に関する。
【背景技術】
【０００２】
従来の椅子は、快適な座り心地を増すため、ふくらはぎの辺りを支えてくれるフットレストを備え、またフットレストがニーズに応じて展開或いは収納して利用者を座らせている。
【０００３】
従来のフットレストは、常に座部前端の下部に設けられ、座部と直交する状態で収納され、またフットレストを枢動して展開させて座部と平行にすることができ、例えば特許文献１、特許文献２、特許文献３はこの設計とする。ただしこの種の方式は、フットレストが座部と地面の高さの制限を受け、フットレストから展開する長さが不足するという状況があった。
【０００４】
また従来のフットレストは、背もたれと連動し、背もたれの後傾時連動して展開する設計を有し、且つ別のレバーを通じて展開、収納を操作する設計である。ただし、フットレストと背もたれの連動方式は、背もたれを後傾させなかった時、フットレストが展開できない状況になり、またレバーによる操作方式はレバーを別途設けなければならないため、操作の不便さ及びアセンブリコスト増加という欠陥があった。
【先行技術文献】
【特許文献】
【０００５】
【特許文献１】米国特許第ＵＳ６５７２１８５号明細書
【特許文献２】米国特許第ＵＳ７１３４７１３号明細書
【特許文献３】米国特許第ＵＳ６４０２２３２号明細書
【考案の概要】
【考案が解決しようとする課題】
【０００６】
本考案の目的は、好ましい収納効果及び展開長さを有するフットレストを備え、好ましい作動安定性を有する安楽椅子を提供することである。
【課題を解決するための手段】
【０００７】
本考案は、ベースと座部と背もたれとフットレストユニットとを備える。ベースは、床面に載置されており、床面に対応して水平となる横棒を有し、横棒の両側に各々肘掛けが固設されており、また横棒の前向き方向に前側支持部が設けられている。座部は、ベースの上方に設けられ、フロントロッドと２つのサイドロッドとを有し、またベースに対応して前後移動できる。背もたれは、座部の後方と接合する。フットレストユニットは、収納及び展開でき、少なくとも１つの第１連結棒と少なくとも１つの第２連結棒と第１枢着枠と第３連結棒と第２枢着枠と少なくとも１つの第４連結棒と少なくとも１つの接合枠とを含み、第１連結棒および第２連結棒が前側支持部の前方と各々枢着し、第１枢着枠が収納位置の前側に対応して第１、２連結棒及び座部の前方に回転可能に接続されており、第３連結棒が収納位置の前側に対応して座部の前方に回転可能に接続されており、第２枢着枠が収納位置の後側に対応して第１枢着枠の後側及び第３連結棒の後側に回転可能に接続されており、また第４連結棒が収納位置の後側に対応して第１枢着枠の後側に回転可能に接続されており、接合枠が収納位置の前側に対応して第２枢着枠の前側に回転可能に接続されており、また後側が第４連結棒の前側に回転可能に接続されている。
【０００８】
好ましくは、ベースの前側支持部は、左右の前側支柱を備え、第１連結棒および第２連結棒が２つであり前側支柱の前端に回転可能に接続されており、また第１枢着枠の幅が２つの前側支柱の間隔より小さく、第２枢着枠の幅が第１枢着枠より小さく、フットレストユニットを重なった状態で収納させることができ、且つ収納時第１枢着枠は２つの前側支柱の間に位置可能である。
【０００９】
好ましくは、ベースと座部の間に２つの枢着ピンを更に含み、ベースの横棒両側に枢着座を各々設けて枢着ピンの底端に回転可能に接続されており、また枢着座の後側に枢着ピンの後方向き揺動角度を制限できる当接部が設けられており、枢着ピンの頂部が座部後側に回転可能に接続されており、座部前方移動の時座部前端を前側支持部の前側支柱と当接させ、枢着ピンが床面に対し略直交状態を呈し、また座部が後方に移動した時、枢着ピンが当接部と当接可能である。
【００１０】
好ましくは、少なくとも１つの弾性部材を更に含み、弾性部材が座部及びベースと接合し、座部前方移動の復元力を提供することができる。
【００１１】
好ましくは、背もたれは、座部に回転可能に接続されており、また背もたれと座部の間に伸縮棒が設けられており背もたれの後傾角度を制御する。
【００１２】
本考案のフットレストユニット全体の収納体積が減り、好ましい収納効果および全体的な質感を有し、また座った時座部の前側が前側支持部の前側支柱で突き当たることができ、またこの時、枢着ピンが床面に対して略直交になって座部の後側を支えることで好ましい支持安定効果を有し、利用者が肘掛けを握ると共に臀部を後方に向かって移動させると、座部をベースに対応して後方移動させてフットレストユニットを展開でき、また動作時枢着ピンの頂部がこれに対応して後方に向かって偏移し、ベースの当接部に当接して定位し、且つ弾性部材を引っ張ることができる。座部の後方移動時ベースの前側支持部を基準点とし第１連結棒および第２連結棒を枢転させて第１枢着枠を前方へ展開させて比較的大きな展開の長さを有し、また第２枢着枠、第４連結棒の上方及び座部前方に向かって展開する動作を連動でき、よって本考案は第１枢着枠に対応又は上回る長さを展開することで、ふくらはぎ部分をより一層支える快適性を向上することができる。
【図面の簡単な説明】
【００１３】
【図１】本考案の一実施形態による安楽椅子の肘掛け及び制御装置のレバーが取り付けられていない状態を示す分解斜視図である。
【図２】本考案の一実施形態による安楽椅子の収納状態を示す組立図である。
【図３】本考案の一実施形態による安楽椅子を示す側面図である。
【図４】本考案の一実施形態による安楽椅子の座部が後方に移動する状態を示す模式図である。
【図５】本考案の一実施形態による安楽椅子の座部が後方に移動し、フットレストユニットが展開する状態を示す側面図である。
【図６】本考案の一実施形態による安楽椅子の座部が後方に移動し、フットレストユニットが展開し、背もたれが後傾する状態を示す斜視図である。
【考案を実施するための形態】
【００１４】
（一実施形態）
図１〜図３を参照すると、本考案による一実施形態の安楽椅子は、ベース１と座部２と背もたれ３とフットレストユニット４とを含み、ベース１を床面に置くことができ、床面に対応して水平となる横棒１１を備え、横棒１１の両側に側板１２を各々設け、側板１２に肘掛け１３を固設し、また横棒１１の前向き方向に前側支持部１４が設けられており、前側支持部１４が左右の前側支柱１５を備え、且つ前側支柱１５が適切な長さを有し、その長さが座部２半分の長さを上回り、且つ床面に対して前方に向かって仰ぐ交角を有し、前側支持部１４とベース１底部の間に収容空間１５１を持たせ、前側支持部１４の前側支柱１５前端の上部、下部に第１枢着部１５２および第２枢着部１５３を各々設ける。横棒１１の両側に枢着座１６を各々設け、枢着座１６が収容溝１６１、第３枢着部１６２を備え、枢着座１６の位置に枢着ピン１７が設けられており、枢着ピン１７の底端が枢着座１６の第３枢着部１６２に回転可能に接続されており、枢着座１６の後側に枢着ピン１７の後方向き揺動角度を制限できる当接部１６３が設けられている。
【００１５】
座部２は、ベース１の上方に設けられ、フロントロッド２１と２つのサイドロッド２２とを備え、フロントロッド２１に２つの第４枢着部２３が設けられており、２つのサイドロッド２２に２つの第５枢着部２４が設けられており、枢着ピン１７の頂部に回転可能に接続されている。また２つのサイドロッド２２の後端に２つの第６枢着部２５が設けられており、フロントロッド２１に第７枢着部２６が設けられている。座部２とベース１の間に弾性部材２７を設けることで座部２の動作の力を提供し、また弾性部材２７は２つの圧縮ばねとすることができ、座部２の２つのサイドロッド２２の第５枢着部２４に対応する前方位置に接合ロッド２２１が設けられており、弾性部材２７の両端は座部２の接合ロッド２２１及びベース１の側板１２と各々接合できる。またフロントロッド２１に第８枢着部２８が設けられている。
【００１６】
背もたれ３は、座部２の後方に設けられ、２つのサイドロッド３１と底部ロッド３２とを備え、２つのサイドロッド３１に第９枢着部３３を各々設けて座部２の第６枢着部２５に回転可能に接続されており、背もたれ３を座部２に対して枢転させることができる。底部ロッド３２に第１０枢着部３２１が設けられており、また背もたれ３と座部２の間に伸縮棒３４が設けられており、伸縮棒３４の両端が座部２の第８枢着部２８及び背もたれ３の第１０枢着部３２１と各々枢着される。また制御装置３５が設けられており、伸縮棒３４の長さ及び背もたれ３の後傾角度が制御可能であり、前記伸縮棒３４が手動又は電動とすることができる。図内では制御装置３５の制御線を表示しているが、レバー部材を表示しない。
【００１７】
フットレストユニット４は、収納又は展開でき、２つの第１連結棒４１と２つの第２連結棒４２と第１枢着枠４３と第３連結棒４４と第２枢着枠４５と２つの第４連結棒４６と２つの接合枠４７とを含み、２つの第１連結棒４１がベース１の２つの前側支柱１５の前端一側に各々回転可能に設けられており、両端が第１１枢着部４１１および第１２枢着部４１２を各々有し、第１１枢着部４１１がベース１の第２枢着部１５３に回転可能に接続されており、第１２枢着部４１２が座部２の第４枢着部２３に回転可能に接続されている。また２つの第２連結棒４２は、ベース１の２つの前側支柱１５前端の第１連結棒４１に対向する他側に回転可能に設けられており、両端が第１３枢着部４２１および第１４枢着部４２２を各々有し、第１３枢着部４２１がベース１の第１枢着部１５２に回転可能に接続されており、第１連結棒４１および第２連結棒４２がフットレストユニット４のベース１に対する比較的大きな曲がり角度を提供できる。
【００１８】
第１枢着枠４３は、並列する２つの第１サイドロッド４３１を備え、２つの第１サイドロッド４３１間に連結用の第１水平ロッド４３２を有し、また第１枢着枠４３の幅がベース１の２つの前側支柱１５間隔より小さく、且つ長さが前側支柱１５の長さに略対応することで比較的大きな展開距離を有する。２つの第１サイドロッド４３１は、対称となると共に収納位置に対応して前側から後側へ順次に第１５枢着部４３３、第１６枢着部４３４、第１７枢着部４３５、および第１８枢着部４３６が設けられており、また前側の第１５枢着部４３３が座部２の第４枢着部２３及び第１連結棒４１の第１２枢着部４１２に回転可能に接続されており、前側の第１６枢着部４３４が第２連結棒４２の第１４枢着部４２２に回転可能に接続されている。第３連結棒４４は、収納位置に対応する前後側に第１９枢着部４４１および第２０枢着部４４２を有し、第１９枢着部４４１が座部２の第７枢着部２６に回転可能に接続されている。第２枢着枠４５は、平行となる２つの第２サイドロッド４５１を備え、２つの第２サイドロッド４５１の端部が第２水平ロッド４５２で連結し、また第２枢着枠４５の幅が第１枢着枠４３の２つの第１サイドロッド４３１の間隔より小さく、また２つの第２サイドロッド４５１の収納位置に対応する前後側に第２１枢着部４５３および第２２枢着部４５４を各々設け、第２水平ロッド４５２に第２３枢着部４５５が設けられており、且つ後側の第２２枢着部４５４が第１枢着枠４３後側の第１７枢着部４３５に回転可能に接続されており、後側の第２３枢着部４５５が第３連結棒４４後側の第２０枢着部４４２に回転可能に接続されている。２つの第４連結棒４６の収納位置に対応する後側、前側に第２４枢着部４６１および第２５枢着部４６２を各々有し、後側の第２４枢着部４６１が第１枢着枠４３後側の第１８枢着部４３６に回転可能に接続されている。２つの接合枠４７は対向設置され、収納位置に対応する前後側に第２６枢着部４７１および第２７枢着部４７２を各々有し、前側の第２６枢着部４７１が第２枢着枠４５前側の第２１枢着部４５３に回転可能に接続されており、後側の第２７枢着部４７２が第４連結棒４６前側の第２５枢着部４６２に回転可能に接続されており、接合枠４７の上方に軟質クッション体（図示略）を接合できる。
【００１９】
本実施形態のフットレストユニット４が展開していない時、座部２は弾性部材２７で引っ張って定位でき、且つフットレストユニット４の収納時、第１連結棒４１および第２連結棒４２がフットレストユニット４のベース１に対する曲がり部分を形成し、第１枢着枠４３を大幅にベース１に向かって収納して収容空間１５１と２つの前側支柱１５間の位置に置くことができ、且つ第２枢着枠４５が第１枢着枠４３の２つの第１サイドロッド４３１内に収納され、フットレストユニット４を重なって収納させることができ、その全体的な収納厚さＡ（図３）は、減少できるため好ましい収納の全体的な質感を有し、また座る時、座部２の前側が前側支持部１４の前側支柱１５に突き当たることができ、この時、枢着ピン１７が床面に対して略直交すると共に座部２の後側を支え、好ましい支持安定効果を有し、この時、伸縮棒３４の制御装置３５を独立して制御して伸縮棒３４を動かせて背もたれ３角度（図示略）を調整することができる。
【００２０】
図４〜６を参照すると、本実施形態は、利用者が手で肘掛け１３を握ると共に臀部を後方に向かって力を入れると、座部２をベース１に対して後方に移動させ、フットレストユニット４を展開させることができ、また動作時、枢着ピン１７の頂部がこれに対応して後方に向かって偏移してベース１の当接部１６３に当接して定位し、且つ弾性部材２７を引っ張ることができる。また座部２が後方に移動する時、ベース１の前側支持部１４を基準点として第１連結棒４１および第２連結棒４２を回転させ、第１枢着枠４３が前方に向かって展開させて第２枢着枠４５、第４連結棒４６、接合枠４７を連動して上方に向かって展開させる。よって、本実施形態は図５に示すＢの約第１枢着枠４３の長さを上回ることで、ふくらはぎ部分をより一層支える快適性が向上し、この時図６に示ように制御装置３５により、伸縮棒３４の長さ及び背もたれ３の後傾角度が制御可能である。
【００２１】
本実施形態は、更にフットレストユニット４が収納される時、利用者のふくらはぎ部分をやや下方に向かけて力を入れると、フットレストユニット４が収納されると共に座部２を図３のような状態で前方に移動させることができる。この時、弾性部材２７の弾性復元力を組み合わせると、好ましい便利な収納効果を持たせ、またフットレストユニット４は別のレバーで操作する必要がなくても、操作が簡単という効果を有することができる。
【００２２】
よって、以上に述べたことから分かるように、本考案は、フットレストユニットの収納体積を減少することができるため、好ましい全体的な質感を有し、また比較的大きいな展開の長さを有するため、ふくらはぎ部分の支えられる快適性を向上させることができ、且つ好ましい操作上の安定効果を有することができる。また本考案のフットレストユニットは、背もたれと連動しないため、伸縮棒が必要な設置ではない。前述の実施形態はあくまでも本考案の技術内容を明らかにするものであって、このような具体例のみに限定して狭義に解釈されるべきものではなく、本考案の精神に基づいて種々なる変更、修正、改良等を加え得るものは本考案の範囲に含まれる。
【符号の説明】
【００２３】
１  ベース、
１１  横棒、
１２  側板、
１３  肘掛け、
１４  前側支持部、
１５  前側支柱、
１５１  収容空間、
１５２  第１枢着部、
１５３  第２枢着部、
１６  枢着座、
１６１  収容溝、
１６２  第３枢着部、
１６３  当接部、
１７  枢着ピン、
２  座部、
２１  フロントロッド、
２２  サイドロッド、
２２１  接合ロッド、
２３  第４枢着部、
２４  第５枢着部、
２５  第６枢着部、
２６  第７枢着部、
２７  弾性部材、
２８  第８枢着部、
３  背もたれ、
３１  サイドロッド、
３２  底部ロッド、
３２１  第１０枢着部、
３３  第９枢着部、
３４  伸縮棒、
３５  制御装置、
４  フットレストユニット、
４１  第１連結棒、
４１１  第１１枢着部、
４１２  第１２枢着部、
４２  第２連結棒、
４２１  第１３枢着部、
４２２  第１４枢着部、
４３  第１枢着枠、
４３１  第１サイドロッド、
４３２  第１水平ロッド、
４３３  第１５枢着部、
４３４  第１６枢着部、
４３５  第１７枢着部、
４３６  第１８枢着部、
４４  第３連結棒、
４４１  第１９枢着部、
４４２  第２０枢着部、
４５  第２枢着枠、
４５１  第２サイドロッド、
４５２  第２水平ロッド、
４５３  第２１枢着部、
４５４  第２２枢着部、
４５５  第２３枢着部、
４６  第４連結棒、
４６１  第２４枢着部、
４６２  第２５枢着部、
４７  接合枠、
４７１  第２６枢着部、
４７２  第２７枢着部。
【図１】
0003201565.tif 000003
【図２】
0003201565.tif 000004
【図３】
0003201565.tif 000005
【図４】
0003201565.tif 000006
【図５】
0003201565.tif 000007
【図６】
0003201565.tif 000008